(57)【特許請求の範囲】
【請求項１】
体温を計測する体温計測部と、時刻を計測する計時手段と、体温計測部が計測した体温と計時手段が計測した時刻をともに記憶するデータ記憶手段と、今回体温を計測した計測時刻に対し、所定時間幅の範囲内の時刻に計測されて前記データ記憶手段に記憶されている複数の体温に基づいて平均体温を算出することにより前記計測時刻毎の標準体温を推定する標準体温推定手段と、報知手段とを備えた本体部から成り、前記報知手段は前記体温計測部の計測体温を報知すると共に同時に前記標準体温推定手段が推定した標準体温を報知する体温計。
【請求項２】
前記本体部は、前記体温計測部が体温を計測した時に計測体温と前記標準体温推定手段が推定した計測時刻の標準体温とを比較する体温比較手段を備え、前記報知手段は、計測体温と標準体温に所定値以上の差がある時には注意報知をする請求項１に記載した体温計。
【請求項３】
データ記憶手段は、体温計測部で計測した体温と前記体温を計測した計測時刻を記憶するか否かを選択する選択部を有する請求項１または２に記載した体温計。
【請求項４】
データ記憶手段は、体温計測部が計測するときの特記事項を受け付ける特記事項入力手段を有し、前記特記事項入力手段で特記事項が入力された計測体温と計測時刻とは記憶しないようにした請求項１から３のいずれか１項に記載した体温計。
【請求項５】
データ記憶手段は、体温計測部が計測するときの特記事項を受け付ける特記事項入力手段を有し、前記特記事項入力手段に入力された特記事項を計測体温と計測時刻とを共に記憶し、標準体温推定手段は、体温計測部が体温を計測した時に、特記事項が入力されなかった場合には特記事項の入力されなかったデータから計測時刻の標準体温を推定し、前記特記事項入力手段で特記事項が入力された場合はその特記事項とともに入力されているデータから計測時刻の標準体温を推定し、計測時刻の標準体温とする請求項１から３のいずれか１項に記載した体温計。
【請求項６】
本体部は、体温計測部を使用する人毎に報知内容を切り替える切換手段を有する請求項１から５のいずれか１項に記載した体温計。
【発明の詳細な説明】
【０００１】
【発明の属する技術分野】
本発明は、体温を計測する体温計に関するものである。
【０００２】
【従来の技術】
従来使用している体温計は、ほとんどが計測した体温をそのときに表示するだけのものである。
【０００３】
【発明が解決しようとする課題】
従来の体温計は前記しているように計測した体温をそのときに表示するだけのものであり、計測した体温が自分にとってどのような体調を示しているものかの判断は使用者が自分でするしかないものであるという課題を有している。
【０００４】
つまり、人間の体温は、時刻、食事や入浴等の行動、運動量、精神的なものによって変化するものである。また、平熱は個人毎でかなり異なるものである。
【０００５】
ところが、前記従来の体温計では、ただ計測した体温を報知するだけのものなので、計測体温が自分の平熱と比べて高いのか低いのかは自分の平熱を普段から知って自分で推定するしかないものである。特に自分で体調を表現できない乳幼児の体調等を親が知りたい時は、微妙な熱変化が体調によるものか時刻変化によるものかの区別がしにくいものである。
【０００６】
【課題を解決するための手段】
本発明は、体温計測部が計測した体温を計時手段が計測した時刻と共にデータ記憶手段に記憶し、標準体温推定手段が、今回体温を計測した計測時刻に対し、所定時間幅の範囲内の時刻に計測されて前記データ記憶手段に記憶されている複数の体温に基づいて平均体温を算出することにより計測時刻毎の標準体温を推定し、報知手段は体温計測部が計測した体温と共に標準体温を報知するようにして、体調を判断しやすい体温計としているものである。
【０００７】
【発明の実施の形態】
請求項１に記載した発明は、体温計測部が計測した体温を計時手段が計測した時刻と共にデータ記憶手段に記憶し、標準体温推定手段が、今回体温を計測した計測時刻に対し、所定時間幅の範囲内の時刻に計測されて前記データ記憶手段に記憶されている複数の体温に基づいて平均体温を算出することにより計測時刻毎の標準体温を推定し、報知手段は体温計測部が計測した体温と共に標準体温を報知するようにして、体調を判断しやすい体温計としているものである。
【０００８】
請求項２に記載した発明は、体温計測部が体温を計測した時に計測した体温と共に体温比較手段が比較した標準体温と計測した体温との差が所定値以上ある時には報知手段が注意報知するようにして、体調の異常が直ちに判る体温計としているものである。
【０００９】
請求項３に記載した発明は、データ記憶手段が、計測した体温と前記体温を計測した計測時刻を記憶するか否かを選択する選択部を有するようにして、使用者が納得できるデータだけを記憶でき、標準体温の推定を精度良く行え、正確な体調の判断が出来る体温計としている。
【００１０】
請求項４に記載した発明は、データ記憶手段が特記事項入力手段を有して、体温計測部が計測した体温が特記事項に合致する場合には、このデータを受け付けないようにして、使用者が納得できるデータだけを記憶でき、標準体温の推定を精度良く行え、正確な体調の判断が出来る体温計としている。
【００１１】
請求項５に記載した発明は、体温計測部が体温を計測した時に、特記事項が入力されなかった場合には特記事項の入力されなかったデータから計測時刻の標準体温を推定し、特記事項入力手段に特記事項が入力された場合はその特記事項とともに入力されているデータから標準体温推定手段が計測時刻の標準体温を推定するようにして、標準体温の推定を精度良く行え、正確な体調の判断が出来る体温計としている。
【００１７】
請求項６に記載した発明は、本体部は、体温計測部を使用する人毎に報知内容を切り替える切換手段を有するようにして、正確な体調の判断が出来、かつ複数人数で共有できる体温計としているものである。
【００１８】
【実施例】
（実施例１）
以下本発明の第１の実施例について説明する。図１は本実施例の構成を示すブロック図であり、図２は本実施例の構成を示す平面図である。
【００１９】
本実施例の体温計は、本体部１と体温計測部２を備えている。本体部１は、時刻を計時する計時手段３と、体温計測部２が計測した体温と計時手段３が計測した時刻をともに記憶するデータ記憶手段４と、データ記憶手段４が記憶したデータから時刻毎の標準体温を推定する標準体温推定手段８を内部に含んでいるＣＰＵ５と、体温計測部２が計測した体温と、標準体温推定手段８が推定した標準体温を報知する報知手段６を備えている。報知手段６は、例えばブザーで構成している注意音吹鳴部６ａを有している。また本体部１には、図示していない電池で構成した電源と、前記電源を入り切りする図２に示している電源ボタン９を備えている。
【００２０】
以下、本実施例の動作について説明する。使用者が電源ボタン９を押すと、ＣＰＵ５は報知手段６の時刻表示位置１０に計時手段３が計時した現在時刻を表示し、体温表示位置１１に計測体温は「――．―℃」と表示する。この状態では標準体温表示位置１２には何の表示もしていない。使用者が、体温計測部２を例えば腋下等に当てて計測を行うと、この計測データはＣＰＵ５に伝達される。ＣＰＵ５は、この情報を受けて体温表示位置１１に、図２に示しているように「３６．６℃」と表示し、このときの計測時刻のデータを前記体温データと共にメモリ４に記憶させる。このとき本実施例ではＣＰＵ５は、既にメモリ４に記憶しているデータから今回の計測時刻である１４時１８分に近接している時刻のデータを検索して、今回の体温データ３６．６℃が正常であるかどうかを評価しているものである。つまり、計測時刻については、１４時１８分の前後３０分以内のものを近接していると判断しており、例えば前日の１４時００分に記憶されたデータがあれば、このデータを検索するものである。またこのときの検索データには、計測体温が３５℃以上で３８℃未満のもののみを有効としているものである。また標準体温推定手段８は、有効データ数が５個以上ある時はその平均値をその計測時刻での標準体温とし、ＣＰＵ５は図２に示している標準体温記入位置１２に例えば「３６．７℃」と表示する。また有効データ数が５個未満の時には標準体温推定手段８は標準体温を演算せず、ＣＰＵ５は標準体温記入位置１２には「データが不足しています。」と表示する。この標準体温の表示を終了した時点で、ＣＰＵ５は注意音吹鳴部６ａを駆動して使用者に計測終了を報知する。
【００２１】
なお本実施例では、データ記憶手段４に既に記憶しているデータの内、標準体温を推定する際に前後３０分の時刻に記憶されたものを標準体温の推定に用いたが、前後の時間は任意に決めても良いし、使用者に設定させても良い。また、有効なデータ数が５以上の時に標準体温を表示するようにしたが、データ数はより少なくても多くてもかまわないし、使用者に設定させても良い。また、有効体温範囲を３５℃以上３８℃未満としたが、任意の値としても支障はない。さらに、体温計測部２としてサーミスタを用いているが、赤外線焦電センサを用いている耳孔式体温計としてもかまわないものである。
【００２２】
以上のように本実施例によれば、体温計測部２が計測した体温を計時手段３が計測した時刻と共にデータ記憶手段４に記憶し、標準体温推定手段８が計測時刻毎の標準体温を推定し、報知手段６が体温計測部２が計測した体温と共に標準体温を報知するようにして、体調を判断しやすい体温計を実現するものである。
【００２３】
（実施例２）
次に本発明の第２の実施例について説明する。図３は本実施例の構成を示すブロック図である。本実施例では、ＣＰＵ５は、標準体温推定手段８としての機能の他に、計測体温と推定した標準体温とを比較する体温比較手段１３としての機能も果たしている。
【００２４】
以下、本実施例の動作について説明する。まず、使用者が電源ボタン９を押すと、ＣＰＵ５は報知手段６の時刻表示位置１０に計時手段３で計時した現在時刻を表示し、計測体温表示位置１１には「――．―℃」と表示する。また標準体温表示位置１２は表示しない。使用者が体温計測部２を腋下等に当てて計測を行うと、ＣＰＵ５は、計測体温表示位置１１に、例えば「３６．８℃」と表示し、このときの計測時刻と計測体温を対にしてデータ記憶手段４に記憶させる。同時に、既に同様にしてデータ記憶手段４に記憶しているデータ（但し今回記憶したものは除く）の中から今回の計測時刻前後３０分以内のもの（例えば前日の６：００に記憶されたもの）を検索し、その検索データについて計測体温が３５℃以上で３８℃未満のもののみを有効として標準体温推定材料として使用している。さらにＣＰＵ５は、有効データ数が５個以上ある時はその平均値を計測時刻の標準体温として例えば図４に示しているように、標準体温表示位置１２に「標準３６．３℃」を表示し、この計測体温３６．８℃と標準体温３５．８℃を比較する。本実施例の場合には両者間には０．５℃以上の差があるため、ＣＰＵ５は注意音吹鳴部６ａを駆動した、計測終了音とは別の警告音を吹鳴して報知する。計測体温と標準体温の差が０．５℃未満の時は、「標準３６．３℃」を表示し、注意音吹鳴部７で計測終了音を吹鳴して計測終了を報知する。標準体温推定材料として用いる有効データ数が５個未満の時は標準体温１２は「データが不足しています。」と表示し、注意音吹鳴部６ａを駆動して計測終了を報知する。
【００２５】
なお本実施例では、計測体温と標準体温を比較の結果、０．５℃以上の差がある時に、ＣＰＵ５は注意音吹鳴部６ａで計測終了音とは別の警告音を吹鳴して報知するようにしたが、任意の差として良く、差がどれ程の時に報知するようにするか使用者に設定させても良い。また、音で報知するのでなく、報知手段６の標準体温表示位置１２の表示を点滅させたり、或いは標準体温との差の絶対値を表示させたり、または体調不良等のメッセージを表示させるようにしても良い。なおこの表示を、例えば差が＋０．５〜１℃の時には「微熱」、＋１℃以上の時には「発熱」とすると、使用者にはわかりやすいものである。
【００２６】
以上のように本実施例によれば、体温計測部２が体温を計測した時に計測した体温と共に、体温比較手段１３が比較した標準体温と計測した体温との差が所定値以上ある時には報知手段６が注意報知するようにして、体調の異常が直ちに判る体温計を実現するものである。
【００２７】
（実施例３）
次に本発明の第３の実施例について説明する。図５は本実施例の外観を示す平面図である。本実施例では本体部１に、選択部１４を備えている。選択部１４は今回測定した体温データをデータ記憶手段４に記憶させるかさせないかを選択するための記憶ボタンで構成している。
【００２８】
以下、本実施例の動作について説明する。使用者が電源ボタン９を押すと、ＣＰＵ５は表示部６の時刻１０の場所に計時手段３で計時した現在時刻を表示し、計測体温１１は「――．―℃」と表示する。標準体温１２は表示しない。その状態で、使用者は体温計測部２を腋下等に当てて計測を行う。ＣＰＵ５は、計測体温を図５の１１の様に「３６．７℃」と表示すると同時に、既にメモリ４に記憶していたデータの中から今回の計測時刻前後３０分以内のもの（例えば前々日の１８：５０に記憶されたもの）を検索し、その検索データについて計測体温が３５℃以上で３８℃未満のみ標準体温推定材料として有効とする。さらにＣＰＵ５は、有効データ数が５個以上ある時はその平均値を計測時刻の標準体温として例えば図５の標準体温１２の様に「標準３６．３℃」を表示し、この計測体温３６．７℃と標準体温３６．３℃とを体温比較手段１３が比較する。体温比較手段１３はこの比較のときに、０．５℃以上の差はないので、警告音を吹鳴せず、注意音吹鳴部７で計測終了音を吹鳴して計測終了を報知する。標準体温推定材料として用いる有効データ数が５個未満の時には標準体温表示位置１２には「データが不足しています。」と表示し値を表示せず、注意音吹鳴部７で計測終了音を吹鳴して計測終了を報知する。この測定終了の後、使用者が選択部１４を押すと今回の計測時刻と計測体温を対にしてデータ記憶手段４に記憶する。使用者が選択部１４を押さなければ、今回の計測時刻と計測体温は記憶しないものである。本実施例の場合、標準体温との差は０．４℃あり、微熱であると判断できるものである。
【００２９】
つまり使用者が、今回の計測体温が正常の範囲であると判断できる場合だけ、選択部１４を押さないことによって、データ記憶手段１４にデータを記憶させるようにして、異常が明確である場合には選択部１４を押すようにして、データ記憶手段１４にデータを記憶させないようにして標準体温の推定の精度を向上できる。
【００３０】
なお本実施例では、使用者が計測体温が異常とは言えないと判断できる場合に記憶ボタンを押して記憶する方法をとっているが、記憶ボタンと記憶不可ボタンとを設けるようにして、記憶ボタンを押したときには記憶させ、記憶不可ボタンを押したときには記憶させないようにしても良いし、また記憶不可ボタンを設けて記憶不可ボタンを押したときには記憶させずに、記憶不可ボタンを押さなければ記憶させるようにしても良い。また、計測終了後に記憶させるかどうか使用者に問いかけるようにしても良い。
【００３１】
以上のように本実施例によれば、データ記憶手段４が、計測した体温と前記体温を計測した計測時刻を記憶するか否かを選択する選択部１４を有するようにして、使用者が納得できるデータだけを記憶でき、標準体温の推定を精度良く行え、正確な体調の判断が出来る体温計を実現するものである。
【００３２】
（実施例４）
次に本発明の第４の実施例について説明する。図６は本実施例の外観を示す平面図である。本実施例では、本体部１に、特記事項入力手段１５を設けている。選択部１４を備えている。本実施例では特記事項入力手段１５として「食後」、「飲酒後」、「入浴後」、「興奮後」の４つのボタンを用意している。使用者が特記事項入力手段１５を操作したときには、各ボタンの上部に対応する特記事項表示位置１６に横棒を表示するものである。
【００３３】
以下、本実施例の動作について説明する。まず、使用者が電源ボタン９を押すと、ＣＰＵ５は表示部６の時刻１０の場所に計時手段３で計時した現在時刻を表示し、計測体温表示位置１１には「――．―℃」と表示する。標準体温表示位置１２には表示しない。この時点で、使用者は現在の状況について特記事項があれば特記事項入力手段１５の該当ボタンを用いて特記事項を入力する。例えば食後の場合には、「食後」のボタンを押すとボタンの上部に横棒が表示される。入力を取り消したい場合には、もう一度「食後」のボタンを押すと、この時横棒も消えて入力が取り消される。この様に「食後」と特記事項を入力して、使用者は体温計測部２を腋下等に当てて計測を行う。計測を終了すると、ＣＰＵ５は、計測した体温を図６に示している計測体温表示位置１１に「３６．７℃」と表示し、同時に、標準体温推定手段８が既にデータ記憶手段４に記憶しているデータの中から、今回の計測時刻前後３０分以内のもの（例えば前々日の１８：５０に記憶されたもの）の内、計測体温が３５℃以上で３８℃未満のデータを検索して、有効データ数が５個以上ある時はその平均値を計測時刻の標準体温として例えば図５に示している標準体温表示位置１２に「標準３６．３℃」を表示し、体温比較手段１３が計測体温３６．７℃と標準体温３６．３℃を比較する。比較の結果、０．５℃以上の差はないので、警告音を吹鳴せず、注意音吹鳴部６ａで計測終了音を吹鳴して計測終了を報知する。標準体温推定手段８は、標準体温推定材料として用いる有効データ数が５個未満の時は標準体温表示位置１２には「データが不足しています。」と表示し、値を表示せず、注意音吹鳴部６ａで計測終了音を吹鳴して計測終了を報知する。その後、今回の計測時刻と計測体温は、特記事項「食後」が入力されたデータであるので、選択部１４が押されるか否かに関わらず記憶しないものである。
【００３４】
つまり、「食後」、「飲酒後」、「入浴後」、「興奮後」等は、体温が通常状態に比べて変化するものであり、この状態での計測体温を標準体温の推定に用いた場合には、誤差が生ずるものである。なお本実施例では、特記事項を予め用意したものに限って入力できるようにしているが、自由な内容を入力できるようにして何らかの入力があった場合に記憶しないようにしても良い。また、入力のタイミングも計測前としたが、次回の計測までならいつでもかまわない。
【００３５】
以上のように本実施例によれば、特記事項が入力されたデータを記憶せず標準体温推定の材料としないことで、その時刻の標準体温の信頼性をより向上させることができる。
【００３６】
（実施例５）
次に本発明の第５の実施例について説明する。図７は本実施例の外観を示す平面図である。本実施例では、報知手段６に特記事項別標準体温表示位置１７を設けている。
【００３７】
以下、本実施例の動作について説明する。使用者が電源ボタン９を押すと、ＣＰＵ５は報知手段６の時刻表示位置１０に計時手段３で計時した現在時刻を表示し、計測体温表示位置１１に「――．―℃」と表示する。標準体温表示位置１２には表示しない。この時点で、使用者は現在の状況について特記事項があれば特記事項ボタン１５を用いて特記事項を入力する。本実施例では、食後であるので「食後」のボタンを押すものである。「食後」のボタンを押すと、ボタンの上部に横棒が表示される。この様に「食後」と特記事項を入力して、使用者が体温計測部２を使用して体温の計測を開始する。ＣＰＵ５は、計測体温を図７に示している計測体温表示位置１１に、「３６．７℃」と表示し、同時に、標準体温推定手段８がデータ記憶手段４に記憶しているデータの中から特記事項「食後」と入力されているもので、かつ今回の計測時刻前後３０分以内のもの（例えば特記事項「食後」と入力されており、かつ前々日の１８：５０に記憶されたもの）を検索し、その検索データについて計測体温が３５℃以上で３８℃未満のものを対象として、「食後」の標準体温を推定する。また推定した「食後」の標準体温を図７に示している特記事項別標準体温表示位置１７に表示する。このとき、標準体温推定手段８は前記各実施例で説明しているように、有効データ数が５個以上ある時はその平均値を特記事項別標準体温表示位置１７に表示し、有効データ数が５個未満の時には標準体温推定手段８は標準体温を演算せず、ＣＰＵ５は特記事項別標準体温表示位置１２には「データが不足しています。」と表示する。さらに体温比較手段１３が、例えば、この計測体温３６．７℃と食後標準３６．６℃を比較する。比較の結果、０．５℃以上の差はないので、警告音を吹鳴せず、注意音吹鳴部７で計測終了音を吹鳴して計測終了を報知する。
【００３８】
その後、使用者が選択部１４を押すと、今回の特記事項と計測時刻と計測体温が対になって、データ記憶手段４に記憶される。また、使用者が選択部１４を押さなければ今回の計測時刻と計測体温は記憶しない。つまり本実施例の標準体温推定手段８は、特記事項が入力された場合には、この特記事項とともに記憶されているデータについて標準体温を推定し、特記事項が入力されなかった場合には、特記事項が入力されなかったデータについて標準体温を推定するようにしているものである。
【００３９】
なお本実施例では、特記事項を予め用意したものに限って入力できるようにしているが、「特記事項１」、「特記事項２」、「特記事項３」、「特記事項４」等として、予め用意した内容をそれぞれの特記事項として自由にメモ入力できるようにすることもできるものである。また、入力のタイミングは本実施例では計測前としているが、次回の計測までに行うようにしてもかまわないものである。
【００４０】
以上のように本実施例によれば、体温計測部２が体温を計測した時に、特記事項入力手段１５が入力されなかった場合には、特記事項の入力されなかったデータから計測時刻の標準体温を推定し、特記事項入力手段１５に特記事項が入力された場合はその特記事項とともに入力されているデータから標準体温推定手段８が計測時刻の標準体温を推定するようにして、標準体温の推定を精度良く行え、正確な体調の判断が出来る体温計を実現するものである。
【００４１】
（実施例６）
次に本発明の第６の実施例について説明する。図８は本実施例の構成を示すブロック図、また図９は本実施例の外観を示す平面図である。本実施例では本体部１には、１日内体温登録手段３０と、モード切り換えスイッチ１８を備えている。１日内体温登録手段１７は、同一日内の安静時体温を計測時刻とともに登録できる機能であり、ＣＰＵ５は、使用者がモード切り換えスイッチ１８の切換位置を「登録」としたときに、１日内体温登録手段３０の機能を実行する。
【００４２】
以下、本実施例の動作について説明する。使用者が、モード切り換えスイッチ１８を通常モードに設定して電源ボタン９を押すと、本実施例の体温計は通常モードで動作する。この通常モードでの動作は、前記各実施例で説明したとおりであり説明を省略する。使用者がモード切り換えスイッチ１８を登録モードに設定して電源ボタン９を押すと、本実施例の体温計は登録モードで動作する。
【００４３】
登録モードは、使用者が体調が良好な日を選んで設定するものであり、同一日内の体温の変化を登録するためのものである。モード切り換えスイッチ１８を登録側に切り換えて、使用者が電源ボタン９を押すと、ＣＰＵ５は報知手段６の時刻表示位置１０に計時手段３が計時した現在時刻を表示し、計測体温表示位置１１に「――．―℃」と表示する。登録体温表示位置１９には「登録」の文字のみを表示する。この状態で、使用者が体温計測部２を腋下等に当てて体温を計測すると、ＣＰＵ５は計測した体温を計測体温表示位置１１に「３６．０℃」と表示し、同時に、注意音吹鳴部６ａを駆動して使用者に計測終了を報知する。この時、前記「登録」の表示は点滅を開始する。この点滅が続く１０秒間の間に、電源ボタン９が押されなかった場合には、データ記憶手段４はこのときの計測時刻と計測体温とを対にして登録体温として記憶する。つまり、計測体温表示位置１１の表示を消して登録体温表示位置１９に「登録３６．０℃」と点灯表示する。
【００４４】
前記「登録」文字の点滅中に電源ボタン９が押された場合には、データ記憶手段４はこの計測体温を登録せずに電源切の状態となる。即ち、使用者は登録用の計測が失敗した場合は、「登録」文字の点滅中に電源ボタン９を押すものである。このようにして、使用者は、同一日に時刻を変えて同じ要領で登録を繰り返す。使用者が、登録を行った日と別の日に登録を行った場合には、その時点で既に登録されている以前のデータの登録は全て取り消す。
【００４５】
使用者がモード切り換えスイッチ１８を呼出モードに設定して電源ボタン９を押すと、ＣＰＵ５は報知手段６の時刻表示位置１０に、登録されているデータの内で一番時間的に早いものの計測時刻を表示し、登録体温表示位置１９に「登録呼出＊３６．２℃」と表示する。このとき計測体温表示位置１１には何も表示しない。この状態で使用者が電源ボタン９をもう一度押すと、ＣＰＵ５は登録されているデータの内、次に計測時刻の早いものを同じ要領で表示する。以下、電源ボタン９が押される度に、次の計測時刻のデータを表示し、全ての登録データを表示した場合は、電源切となる。以上の動作を繰り返す。
【００４６】
なお本実施例で登録する体温を安静時のものとすれば、特に女性の微妙な体温変化を確実に捉えることが出来る体温計とできるものである。なお本実施例では、モード切り換えスイッチ１８を先に切り換えて電源ボタン９を押すとして説明したが、電源ボタン９を押した後、モード切り換えスイッチ１８を切り換えるようにしても支障はないものである。また本実施例では、この体温計で計測したもの登録するようにしているが、別の体温計で計測したものを登録データとして入力できるようにしても良い。さらに、本実施例では登録の取り消しを別の日に新たに登録を行った時点で行っているが、取り消し用のボタンを設けて使用者が取り消し用のボタンを押して取り消すようにしても良いものである。
【００４７】
以上のように本実施例によれば、１日内体温登録手段３０に１日内の体温のデータを登録して、体温計測部２が体温を計測したときに、計測体温と同時に前記１日内体温登録手段１７で登録した体温の内、今回の計測時刻に最も近い時刻の登録体温を同時に報知するようにして、正確な体調の判断が出来る体温計を実現するものである。
【００４８】
（実施例７）
続いて本発明の第７の実施例について説明する。図１０は本実施例の構成を示すブロック図である。本実施例では本体部１は、実施例６で説明している１日内体温登録手段３０と、ＣＰＵ５に備えている計測体温と登録体温とを比較する体温比較手段１３を有しているものである。
【００４９】
以下、本実施例の動作について説明する。図９に示しているモード切り換えスイッチ１８を「登録」側に設定して、電源ボタン９を押すと実施例６で説明したように本実施例の体温計は登録モードで動作する。本実施例ではＣＰＵ５に体温比較手段１３を有している。体温比較手段１３は、今回計測した体温と１日内体温登録手段３０に登録されているデータの該当時刻のものとの差を演算して、０．５℃以上の差がある時には、注意音吹鳴部６ａを駆動して、計測終了音とは別の警告音を吹鳴して注意報知をするようにしているものである。
【００５０】
以上のように本実施例によれば、体温比較手段１３が１日内体温登録手段３０に登録している今回の計測時刻に最も近い体温と体温計測部２が計測した今回の体温データとを比較して、所定値以上の差がある時に報知手段が注意報知するようにして、体調の異常が直ちに判る体温計を実現するものである。
【００５１】
（実施例８）
続いて本発明の第８の実施例について説明する。本実施例の体温計は特に女性用に適したものであり、図１１は本実施例の外観を示す平面図である。本実施例では本体部１に、１指定ボタン２０と２指定ボタン２１を備えている。１指定ボタン２０と２指定ボタン２１の使い分けは、使用者が決めるものである。本実施例では、１指定ボタン２０は、使用者の現在の体調が低温期の場合の体温データを登録するためのもの、或いは低温期の登録体温データを検索するためのものである。また２指定ボタン２１は、使用者の現在の体調が高温期の場合の体温データを登録するためのもの、或いは高温期の登録体温データを検索するためのものである。
【００５２】
以下、本実施例の動作について説明する。モード切り換えスイッチ１８を通常モードとして、電源ボタン９を押して、使用者が体温計測部２を使用して体温を計測する。体温計測を終了して注意音吹鳴部６ａが計測終了を報知すると、使用者は今回の体温データが低温期のものか高温期のものかを指定するものである。つまり、１指定ボタン２０あるいは２指定ボタン２１を押すものである。使用者が１指定ボタンを押すと、データ記憶手段４に登録している低温期のデータから今回の計測時刻前後３０分以内のものを検索し、その内計測時刻に最も近いものを登録体温として採用して、図１１に示している登録体温表示位置２２に「登録１＊３６．２℃」のように表示する。このとき、使用者が登録していたデータがないとき、若しくは登録していたデータの中に今回の計測時刻前後３０分以内のものがない時は「登録１＊――．―℃」と表示し値を表示しない。次いで、ＣＰＵ５の体温比較手段１３は、この計測体温と登録体温とを比較して、差が０．５℃以上である時は、注意音吹鳴部６ａを駆動して警告音を吹鳴する。計測体温と登録体温との差が０．５℃未満の時は、注意音吹鳴部６ａで計測終了音とは別の比較終了音を吹鳴して比較終了を報知する。
【００５３】
また使用者の現在の状況が高温期である場合には、２指定ボタン２１を押して、データ記憶手段４に登録している高温期のデータから今回の計測時刻前後３０分以内のものを検索し、その内計測時刻に最も近いものを登録体温として採用して、登録体温表示位置２２に同様に表示する。体温比較手段１３は、この計測体温と登録体温とを比較して、差が０．５℃以上である時は、注意音吹鳴部６ａを駆動して警告音を吹鳴する。計測体温と登録体温との差が０．５℃未満の時は、注意音吹鳴部６ａで計測終了音とは別の比較終了音を吹鳴して比較終了を報知する。
【００５４】
また自分が低温期か高温期か判断できない時は、計測終了後、まず１指定ボタン２０を押してみて体温比較を行い、その後２指定ボタン２１を押して体温比較を行うというように、同一計測体温について両方の比較を行って見れば良いものである。
【００５５】
次に、モード切り換えスイッチ１８を登録モードとした場合について説明する。前述のように、女性の場合、毎朝起床前に基礎体温を測っている場合はもちろん、そうでない場合でも次回生理開始予定日前の１２〜１４日が高温期と言われているため、だいだい自分が今低温期か高温期かは判断できる。そこで、例えば使用者の生理開始日から７日目に比較的体調の安定した日があったとすると、その日に低温期の体温を登録する。まず、モード切り換えスイッチ１８を登録側に設定する。この状態で使用者が電源ボタン９を押すと、ＣＰＵ５は報知手段６の時刻表示位置１０に計時手段３が計時した現在時刻を表示し、計測体温１１は「――．―℃」と表示する。このとき、登録体温表示位置２２には「登録１」「登録２」の文字のみ交互に表示している。ここで使用者が、１指定ボタン２０を押して「登録１」を選択したとする。ＣＰＵ５は、１指定ボタン２０が押された時点で、登録体温表示位置２２に「登録１」の文字のみを表示する。この状態で、使用者が体温計測部２を腋下等に当てて計測を行う。、ＣＰＵ５は、計測体温表示位置１１に例えば「３６．３℃」と表示する。同時に、使用者に計測終了を注意音吹鳴部６ａで報知する。この時、「登録１」の表示は点滅を開始する。この点滅が続く１０秒間の間に電源ボタン９が押されなかった場合は、データ記憶手段４に計測時刻と計測体温を対にして登録１体温として記憶するものである。また、計測体温表示位置１１の表示を消して、登録体温表示位置２２に「登録１＊３６．２℃」と点灯表示する。「登録１」の文字の点滅中に電源ボタン９が押された場合は、この計測体温を登録せずに電源切の状態とするものである。即ち、使用者が登録用の計測に失敗した場合には、「登録１」の文字の点滅中に電源ボタン９を押せば登録されずにすむものである。使用者は、同一日に時刻を変えて同じ要領で登録を繰り返す。
【００５６】
使用者の次回生理開始予定日の５日前に比較的体調の安定した日があったとすると、その日に高温期の体温を登録する。つまり、モード切り換えスイッチ１８を登録側に切り換えた状態で低温期の体温登録と同要領で、電源ボタン９を押し、２指定ボタン２１を押して「登録２」を選択した後、計測を行って高温期の体温の登録を行うものである。使用者が、「登録１」または「登録２」について登録を行った日と別の日に登録を行った場合には、その時点でその登録番号について（例えば「登録１」）既に登録されている以前のデータのみについて登録は全て取り消すものである。この場合「登録２」について新たな登録が行われなかった場合は、「登録２」についての登録データはそのまま残すものである。
【００５７】
次に、モード切り換えスイッチ１８を呼出モードとした場合について説明する。この呼出モードは、使用者が前記した方法で行った登録内容を確認するモードである。使用者がモード切り換えスイッチ１８を呼出側に切り換えて、電源ボタン９を押すと、ＣＰＵ５は報知手段６の時刻表示位置１０と計測体温表示位置１１には何も表示せず、登録体温表示位置２２に、「登録１」「登録２」の文字のみを交互に表示する。この状態で使用者が、１指定ボタン２０を押して「登録１」を選択すると、ＣＰＵ５は、報知手段６の時刻表示位置１０に、登録されているデータの内で一番時間的に早いものの計測時刻を表示し、登録体温表示位置２２に「登録１呼出＊３６．２℃」のように表示する。また計測体温表示位置１１には何も表示しない。使用者が１指定ボタン２０をもう一度押すと、ＣＰＵ５は登録されているデータの内、次に計測時刻の早いものを同じ要領で表示する。以下、１指定ボタン２０が押される度に、次の計測時刻のデータを表示し、全ての登録データを表示した場合は、また一番時間的に早いものから順に表示するものである。また「登録２」の内容を確認したい場合にも、１指定ボタン２０の代わりに２指定ボタン２１を押せば、前記と同様に表示できるものである。
【００５８】
なお本実施例では、女性用として「登録１」と「登録２」の２つの登録モードを用意し、低温期体温と高温期体温を登録できるようにしたが、直接「低温期」と「高温期」という名称を用いてもかまわないし、「登録１」と「登録２」のままで男性や子供が別の目的で使ってもかまわない。また、モード切り換えスイッチ１８を先に切り換えて電源ボタン９を押す動作を説明したが、電源ボタン９を押した後、モード切り換えスイッチ１８を切り換えるようにしても支障はない。また本実施例では、この体温計で計測したものを登録するようにしているが、別の体温計で計測したものを入力できる構成としても支障はないものである。さらに、本実施例では登録の取り消しを別の日に新たに登録を行った時点で行ったが、取り消し用のボタンを設けて、使用者がこのボタンを押せば取り消すことができるようにしても支障はないものである。
【００５９】
以上のように本実施例によれば、１日内体温登録手段１７が、女性用に高温期、低温期別に体温を登録できるようにして、女性の微妙な体温変化にも正確な判断が出来る体温計を実現するものである。
【００６０】
（実施例９）
次に本発明の第９の実施例について説明する。図１２は本実施例の外観を示す平面図である。本実施例では、図８に示している１日内体温登録手段１７に、月別に体温が登録できる機能を付加しているものである。すなわち、本体部１には月指定ボタン２３を設けており、報知手段６には時刻表示位置１０と計測体温表示位置１１と登録体温表示位置２４を設けている。図１２に示している例では、使用者が１０時００分に計測した体温が３６．３℃で、使用者が３月に登録した１０時００分頃の体温が３６．２℃であることを示している。なお報知手段６は、電源切の状態では何も表示しないものである。
【００６１】
以下、本実施例の動作について説明する。使用者がモード切り換えスイッチ１８を通常側に設定すれば、通常モードでの動作を実行する。すなわち、この状態で使用者が電源ボタン９を押すと、ＣＰＵ５は報知手段６の時刻表示位置１０に計時手段３が計時した現在時刻を表示し、計測体温表示位置１１に「――．―℃」と表示する。登録体温表示位置２２には表示しない。この状態で、使用者は体温計測部２を腋下等に当てて計測を行う。所定時間の計測が終了すると、ＣＰＵ５は、計測体温表示位置１１に計測体温を表示すると同時に、注意音吹鳴部６ａで計測終了音を吹鳴して計測終了を報知する。この時点で、使用者が電源を切る前に月指定ボタン２３を押すと、月指定ボタンによって指定された月に計測した体温のデータと計測時刻とが表示される。
【００６２】
例えば、使用者が３月に計測した体温のデータを見たいときは月指定ボタン２３を押して登録体温表示位置２４に「登録３月」の文字を表示させる。月指定ボタン２３は、１回押す毎に１月から順に月が送られるようになっており、「登録３月」が表示されるまで月指定ボタン２３を押せば、この表示は簡単に出来るものである。登録体温表示位置２４に「登録３月」の文字を表示されると、ＣＰＵ５は「登録３月」に登録してあるデータの中から今回の計測時刻前後３０分以内のものを検索し、その内計測時刻に最も近いものを登録体温として採用し、「登録３月＊３６．２℃」のように登録体温表示位置２４に表示する。使用者が登録していたデータがないとき、若しくは登録していたデータの中に今回の計測時刻前後３０分以内のものがないときは「登録３月＊――．―℃」と表示し、値を表示しない。この時点で、ＣＰＵ５が備えている体温比較手段１３は、計測体温と登録体温を比較する。すなわち、両者の差が０．５℃以上ある時は、注意音吹鳴部６ａで警告音を吹鳴して注意報知をするものである。計測体温と登録体温との差が０．５℃未満の時は、注意音吹鳴部６ａで計測終了音とは別の比較終了音を吹鳴して比較終了を報知する。なお別の月の登録体温と比較したい場合は、月指定ボタン２３を押してその月を指定すれば良い。
【００６３】
使用者がモード切り換えスイッチ１８を登録側に設定すれば、登録モードでの動作を実行する。使用者が電源ボタン９を押すと、ＣＰＵ５は報知手段６の時刻表示位置１０に計時手段３が計時した現在時刻を表示し、計測体温表示位置１１には「――．―℃」と表示する。また登録体温表示位置２４には、前回の使用の時に月指定ボタン２３を押して選択していた月がある場合には、この月を表示する。例えば２月という指定が行われていた場合には、「登録２月」のように表示するものである。この指定がないときには、１月を「登録１月」の文字のみを表示する。この時使用者は、表示されている月以外の月について登録を行いたい場合には、更に月指定ボタン２３を押して登録しようとする対象を選択する。ここではまず月指定ボタン２３を押して「登録３月」を選択するものとする。ＣＰＵ５は、月指定ボタン２３が押される度に登録の月を順送りし、１２月まで送ると１月に戻す。この状態で、使用者は体温計測部２を腋下等に当てて計測を行う。所定時間の計測を終了すると、ＣＰＵ５は、計測体温表示位置１１に例えば「３６．３℃」と表示する。同時に、注意音吹鳴部６ａを駆動して使用者に計測終了を報知する。この時、「登録３月」の表示は点滅を開始する。この点滅が続く１０秒間の間に電源ボタン９が押されなかった場合には、データ記憶手段４に計測時刻と計測体温を対にして登録３月体温として記憶する。また記憶が終了すると、計測体温表示位置１１での表示を消して、登録体温表示位置２４に「登録３月＊３６．２℃」と点灯表示する。もし、「登録３月」の文字の点滅中に電源ボタン９が押された場合は、この計測体温を登録せずに電源切の状態となる。即ち、使用者は登録用の計測が失敗した場合は、「登録３月」の文字の点滅中に電源ボタン９を押せば、登録されずにすむものである。また使用者が、同一日内で時刻を変えて同じ要領で登録を繰り返すと、時刻別の体調の変化が確実に把握できるものである。同じ要領で、使用者は別の月の体調が安定している時に、その月の体温を登録する。使用者が、登録の月について登録を行った日と別の日に登録を行った場合には、その時点でその登録月について、例えば「登録１月」として既に登録されているデータは更新されるものである。この場合「登録２月」〜「登録１２月」について新たな登録が行われなかった場合は、「登録２月」〜「登録１２月」についての登録データはそのまま残るものである。
【００６４】
使用者がモード切り換えスイッチ１８を呼出側に設定すれば、呼出モードでの動作を実行する。呼出モードは、前記登録を行った場合その内容を確認するモードである。使用者が電源ボタン９を押すと、ＣＰＵ５は報知手段６の時刻表示位置１０と計測体温表示位置１１には何も表示しない。登録体温表示位置２４には、前回使用したときの月指定ボタン２３による選択が行われているときには、その月について登録されているデータの内で一番時間的に早いものの計測時刻を表示し、登録体温表示位置２４には、例えば指定月が２月である場合には「登録２月呼出＊３６．２℃」のように表示する。この指定が行われていない場合には、１月を「登録１月呼出＊３６．１℃」のように表示する。またこのとき、ＣＰＵ５は、その後５秒間電源ボタン９や月指定ボタン２３やモード切り換えスイッチ１８が操作されなければ、５秒毎に、登録されているデータの内、計測時刻の早いものから順に同じ要領で表示する。全ての登録データを表示すると、また一番時間的に早いものから表示するようにして、以上の動作を繰り返す。別の月の登録内容を確認したい場合は、月指定ボタン２３を押して目的の月を表示させれば良い。
【００６５】
なお本実施例では、モード切り換えスイッチ１８を先に切り換えて電源ボタン９を押す動作を説明したが、電源ボタン９を押した後、モード切り換えスイッチ１８を切り換えるようにしても支障ないものである。また前記説明では、この登録この体温計で計測したものとしているが、別に入力手段を設けて、別の体温計で計測したものを登録できるようにしても支障はないものである。さらに前記説明では、別の日に新たに登録を行った時点で先に登録したデータを取り消すとしているが、別に取り消し用のボタンを設けて使用者に指定させて取り消すようにしても支障はないものである。また前記説明では、月毎の登録内容の確認は自動的に５秒毎に表示するようにしたが、別にボタンを設けてそのボタンが押される毎に次の時刻のデータを表示するようにしても支障はないものである。
【００６６】
以上のように本実施例によれば、１日内体温登録手段１７に、女性用に高温期、低温期別に体温が登録できる構成として、例えば最近体調が変化してきた場合は体調が変化し始める前の月の体温を参照してみたり、逆に最近の月の体温を参照してみたりすることもできるし、気候の変わり目等では前年同月の体温を参照してみたり、逆に前月の体温を参照することができ、体温や体調の変化、気候の変化等に対応できる体温計を実現するものである。
【００６７】
（実施例１０）
次に本発明の第１０の実施例について説明する。図１３は本実施例の構成を示すブロック図であり、図１４は本実施例の外観を示す平面図である。本実施例では本体部１に特記事項別体温変化登録手段２５を、体温計測部２に特記事項入力手段１５を設けている。特記事項別体温変化登録手段２５は、特記事項入力手段１５で指定された特記事項毎に体温データ等を登録するための機能である。
【００６８】
以下、本実施例の動作について説明する。使用者がモード切り換えスイッチ１８を通常モードとした場合には、通常モードとして動作する。すなわち、この状態で使用者が電源ボタン９を押すと、ＣＰＵ５は報知手段６の時刻表示位置１０に計時手段３が計時した現在時刻を表示し、計測体温表示位置１１には「――．―℃」と表示し、登録体温表示位置１９には何も表示しない。この状態で使用者が現在の状況について特記事項入力手段１５を使用して、例えば「食後」を選択すると、特記事項表示位置１６の「食後」の位置に横棒が表示される。こうして使用者が体温計測部２を腋下等に当てて、所定時間の計測を行う。ＣＰＵ５は、計測した体温を図１４の計測体温表示位置１１に例えば「３６．７℃」と表示する。同時に、データ記憶手段４に登録していたデータの中から今回の計測時刻前後３０分以内のもの（例えば１９：３０に登録されたもの等）を検索し、その内最も今回の計測時刻に近いものをその計測時刻での登録体温として採用する。その上で、「食後」について後述の方法で体温変化分を登録していれば（例えば食事前後で０．２℃体温が上昇する場合＋０．２℃と登録する）、採用した登録体温＋０．２℃として登録体温表示位置２８に「登録＋０．２℃＊３６．３℃」と表示する。即ち、計測時刻頃の登録体温に食後上昇分０．２℃を加算した結果の３６．３℃が、その計測時刻の食後の調整登録体温であることを示している。もし、「食後」について体温変化分の登録がなかったり、今回計測された体温について特記事項が入力されなかった場合は、採用した登録体温をそのまま「登録＊３６．１℃」と表示する。また、使用者が登録していた１日内体温の登録データそのものがない、若しくは登録していたデータの中に今回の計測時刻前後３０分以内のものがない時には、登録体温表示位置２８には「登録――．―℃」と表示し値を表示しない。登録体温そのもの、若しくは入力された特記事項についての調整登録体温の値を表示した場合は、ＣＰＵ５の体温比較手段１３は、表示した値と計測体温を比較し、０．５℃以上の差があれば注意音吹鳴部６ａを駆動して警告音を吹鳴させる。この差がなければ注意音吹鳴部６ａを駆動して、計測終了を吹鳴して計測終了を報知する。登録体温そのもの、若しくは入力された特記事項についての調整登録体温の値を表示しなかった場合は、注意音吹鳴部６ａで計測終了音を吹鳴して計測終了を報知する。他の特記事項についても同様である。
【００６９】
使用者がモード切り換えスイッチ１８を登録モードとした場合には、登録モードとして動作する。登録する内容は、２種類あり、１つは１日内体温の登録であり、もう１つは特記事項についての特記事項別体温変化の登録である。
【００７０】
１日内体温の登録について説明する。使用者は、体調が良好な日を選んで同一日内の体温変化を登録する。すなわち、モード切り換えスイッチ１８を登録側に設定し、この状態で電源ボタン９を押す。ＣＰＵ５は報知手段６の時刻表示位置１０に計時手段３で計時した現在時刻を表示し、計測体温表示位置１１に「――．―℃」と表示する。登録体温表示位置２８には「登録」の文字のみを表示する。この状態で、使用者は体温計測部２を腋下等に当てて計測を行う。ＣＰＵ５は、計測体温表示位置１１に「３６．１℃」と表示すると同時に、注意音吹鳴部６ａを駆動して、使用者に計測終了を報知する。この時、前記「登録」の表示を点滅させる。この点滅が続く１０秒間の間に電源ボタン９が押されなかった場合は、データ記憶手段４に計測時刻と計測体温を対にして登録体温として記憶し、計測体温表示位置１１の表示を消して登録体温表示位置２８に「登録３６．１℃」と点灯表示する。もし、「登録」文字の点滅中に電源ボタン９が押された場合は、この計測体温を登録せずに電源切の状態とする。即ち、使用者は登録用の計測が失敗した場合は、「登録」文字の点滅中に電源ボタン９を押せば登録されずにすむ。使用者は、同一日に時刻を変えて同じ要領で登録を繰り返す。使用者が、登録を行った日と別の日に登録を行った場合には、その時点で既に登録されている以前のデータの登録は全て取り消すものである。
【００７１】
続いて特記事項別体温変化の登録について説明する。使用者は、この登録に先だって、この体温計若しくは他の体温計で、特記事項の前後で自分の体温がどの程度上昇または下降するのか測って把握しておく。登録は、まずモード切り換えスイッチ１８を登録側に設定して行う。この状態で使用者が電源ボタン９を押すと、ＣＰＵ５は報知手段６の時刻表示位置１０に計時手段３が計時した現在時刻を表示し、計測体温表示位置１１には「――．―℃」と表示する。登録体温表示位置２８には「登録」の文字のみを表示する。この状態で特記事項入力手段１５を押して体温変化を登録したい特記事項を選択する。選択を完了すると、ＣＰＵ５は、該当する特記事項表示位置に横棒を点滅表示し、登録体温表示位置２８に「登録＋０．０℃」と表示する。この時、既に体温変化が登録されている場合にはその値を「登録＋０．２℃」や「登録−０．１℃」のように表示する。このように、既に特記事項別体温変化登録手段２５に体温変化のデータが登録されている場合には、その特記事項についての体温変化を確認することができる。次に使用者は、本体部１に設けている＋ボタン２６または−ボタン２７を押す。ＣＰＵ５は、＋ボタン２６が押されると、０．１℃刻みで増やして表示し、＋２．０℃まで増えたら、＋０．０℃に戻す。−ボタン２７が押されると、０．１℃刻みで減らして表示し、−２．０℃まで減ったら、＋０．０℃に戻す。＋ボタン２６と−ボタン２７が同時に押された時には登録体温表示位置２８に「登録＋０．０℃」と表示する。この操作によって体温変化分の入力が完了すると、もう一度特記事項入力手段１５を押すと前記体温変化登録が確定し、特記事項入力手段１５の上部に横棒の点滅で表示されていた特記事項表示位置１６の表示が点灯表示に変わる。他の特記事項についても体温変化分を登録したい場合は、引き続き該当する特記事項入力手段１５を押して、同じ要領で登録するものである。
【００７２】
使用者がモード切り換えスイッチ１８を呼出モードとした場合には、呼出モードとして動作する。呼出モードは、前記した登録内容を確認するモードである。（特記事項別体温変化の登録内容の確認については登録モードで行うものとする。）使用者がモード切り換えスイッチ１８を呼出側に設定すると、ＣＰＵ５は、報知手段６の時刻表示位置１０に、登録されているデータの内で一番時間的に早いものの計測時刻を表示し、登録体温表示位置２８に「登録呼出＊３６．１℃」のように表示する。計測体温表示位置１１には何も表示しない。この状態で使用者が＋ボタン２６を押すと、ＣＰＵ５は登録されているデータの内、次に計測時刻の早いものを同じ要領で表示する。以下、＋ボタン２６が押される度に、次の計測時刻のデータを表示し、全ての登録データを表示した場合は、また登録されているデータの内で一番時間的に早いものを表示する。以上の動作を繰り返す。−ボタン２７が押された場合は、＋ボタン２６が押された場合と逆の順序で登録体温２８の表示を行う。
【００７３】
なお本実施例では、モード切り換えスイッチ１８を先に切り換えて、電源ボタン９を押すようにしているが、電源ボタン９を押した後、モード切り換えスイッチ９を切り換えるようにしても支障はないものである。また本実施例では、この体温計で計測したものを登録するようにしているが、別に入力手段を設けて、別の体温計で計測したものでも登録できるようにしても良い。
【００７４】
なお本実施例では１種類の特記事項について登録することを説明しているが、モード切り換えスイッチ１８を登録側に設定しておくと複数種類の特記事項を連続して登録できるものである。
【００７５】
また本実施例では、特記事項を予め用意したものに限って入力できるようにしているが、「特記事項１」、「特記事項２」、「特記事項３」、「特記事項４」等として予め所定数用意した特記事項欄に自由にメモ入力できるようにして、メモ入力した各特記事項別に標準体温を推定するようにしても良い。また、入力のタイミングも計測前としているが、次回の計測タイミングまでならいつでもかまわない。さらに、本実施例では登録の取り消しを別の日に新たに登録を行った時点で行ったが、ボタンを設けて使用者に指定させて取り消すようにしても良いものである。
【００７６】
以上のように本実施例によれば、特記事項別体温変化登録手段２５に特記事項毎にその前後での体温変化分を登録するようにして、体温計測部２が体温を計測した時に、同時に特記事項入力手段１５に特記事項が入力され、その特記事項について特記事項別体温変化登録手段２５に体温の変化分が登録されている場合、この体温データを参考にして、正確な体調の判断が出来る体温計を実現するものである。
【００７７】
（実施例１１）
次に本発明の第１１の実施例について説明する。図１５は本実施例の外観を示す平面図である。本実施例では、本体部１に切換手段２９を設けている。切換手段２９は、例えば１から５までの番号を有しており、使用者が使い分けることが出来るようになっている。
【００７８】
以下、本実施例の動作について説明する。使用者は、１から５までの番号の内、この体温計を共通に使用する他の人と重ならないように自分の番号を決める。例えば父親が１、母親が２、長女が３、長男が４、次女が５というように決める。使用する時は、まず切換手段２９を自分の番号に切り換えておく。ＣＰＵ５は、電源入の状態では常に切換手段２９で設定している番号を報知手段６に、例えば「計測者１」のように表示している。使用者は、このように自分の番号に切り換えた上で実施例１から１０に示した使用をする。また、別の人が使用する時は、同じ要領で切換手段２９を自分の番号に切り換えて使用する。
【００７９】
なお本実施例では、切換手段２９として機械的に設定位置を切り替えるスイッチを使用するようにしているが、電源スイッチ９を押すと、使用者を問いかけるようにして使用者に番号を入力させるようにしてもかまわない。また使用者の区別も番号としているが、裏面に番号に対応した名前を書けるようにしたり、名前を登録できるようにしても良い。さらに、本実施例では５人の人毎に切り換えられるようにしたが、メモリの容量に応じて何人にするか決めれば良い。
【００８０】
以上のように本実施例によれば、本体部１に、体温計測部を使用する人毎に報知内容を切り替える切換手段を有するようにして、正確な体調の判断が出来、かつ複数人数で共有できる体温計を実現するものである。
【００８１】
【発明の効果】
請求項１に記載した発明は、体温を計測する体温計測部と、時刻を計測する計時手段と、体温計測部が計測した体温と計時手段が計測した時刻をともに記憶するデータ記憶手段と、今回体温を計測した計測時刻に対し、所定時間幅の範囲内の時刻に計測されてデータ記憶手段に記憶されている複数の体温に基づいて平均体温を算出することにより計測時刻毎の標準体温を推定する標準体温推定手段と、報知手段とを備えた本体部から成り、前記報知手段は前記体温計測部の計測体温を報知すると共に同時に前記標準体温推定手段が推定した標準体温を報知する構成として、体温と共に標準体温を報知でき、体温計測の時刻を問わずどのような時刻であっても、また、微妙な熱変化が体調によるものか時刻変化によるものかの区別がしにくい場合であっても、体調を判断しやすい体温計を実現するものである。
【００８２】
請求項２に記載した発明は、前記本体部は、前記体温計測部が体温を計測した時に計測体温と前記標準体温推定手段が推定した計測時刻の標準体温とを比較する体温比較手段を備え、前記報知手段は、計測体温と、体温計測の時刻に関係しない、その時々の計測時刻毎の標準体温に所定値以上の差がある時には注意報知をする構成として、体調の異常が直ちに判る体温計を実現するものである。
【００８３】
請求項３に記載した発明は、データ記憶手段は、体温計測部で計測した体温と前記体温を計測した計測時刻を記憶するか否かを選択する選択部を有する構成として、使用者が納得できるデータだけを記憶でき、標準体温の推定を精度良く行え、正確な体調の判断が出来る体温計を実現するものである。
【００８４】
請求項４に記載した発明は、データ記憶手段は、体温計測部が計測するときの特記事項を受け付ける特記事項入力手段を有し、前記特記事項入力手段で特記事項が入力された計測体温と計測時刻とは記憶しないようにした構成として、食後、飲酒後、入浴後、興奮後等の特記事項が入力された計測体温と計測時刻が記憶されないので、その時刻での標準体温の信頼性をより向上させ、正確な体調の判断が出来る体温計を実現するものである。
【００８５】
請求項５に記載した発明は、データ記憶手段は、体温計測部が計測するときの特記事項を受け付ける特記事項入力手段を有し、前記特記事項入力手段に入力された特記事項を計測体温と計測時刻とを共に記憶し、標準体温推定手段は、体温計測部が体温を計測した時に、特記事項が入力されなかった場合には特記事項の入力されなかったデータから計測時刻の標準体温を推定し、前記特記事項入力手段で特記事項が入力された場合はその特記事項とともに入力されているデータから計測時刻の標準体温を推定し、計測時刻の標準体温とする構成として、標準体温の推定を精度良く行え、正確な体調の判断が出来る体温計を実現するものである。
【００９１】
請求項６に記載した発明は、本体部は、体温計測部を使用する人毎に報知内容を切り替える切換手段を有する構成として、正確な体調の判断が出来、かつ複数人数で共有できる体温計を実現するものである。
【図面の簡単な説明】
【図１】本発明の第１の実施例である体温計の構成を示すブロック図
【図２】同、外観を示す平面図
【図３】本発明の第２の実施例である体温計の構成を示すブロック図
【図４】同、外観を示す平面図
【図５】本発明の第３の実施例である体温計の外観を示す平面図
【図６】本発明の第４の実施例である体温計の外観を示す平面図
【図７】本発明の第５の実施例である体温計の外観を示す平面図
【図８】本発明の第６の実施例である体温計の構成を示すブロック図
【図９】同、外観を示す平面図
【図１０】本発明の第７の実施例である体温計の構成を示すブロック図
【図１１】本発明の第８の実施例である体温計の外観を示す平面図
【図１２】本発明の第９の実施例である体温計の外観を示す平面図
【図１３】本発明の第１０の実施例である体温計の構成を示すブロック図
【図１４】同、外観を示す平面図
【図１５】本発明の第１１の実施例である体温計の外観を示す平面図
【符号の説明】
１  本体部
２  体温計測部
３  計時手段
４  データ記憶手段
５  ＣＰＵ
６  報知手段
６ａ  注意音吹鳴部
８  標準体温推定手段
９  電源ボタン
１０  時刻表示位置
１１  計測体温表示位置
１２  標準体温表示位置
１３  体温比較手段
１４  選択部
１５  特記事項入力手段
１６  特記事項表示位置
１７  特記事項別標準体温表示位置
１８  モード切り換えスイッチ
１９  登録体温表示位置
２０  １指定ボタン
２１  ２指定ボタン
２２  登録体温表示位置
２３  月指定ボタン
２４  登録体温表示位置
２５  特記事項別体温変化登録手段
２６  ＋ボタン
２７  −ボタン
２８  調整登録体温表示位置
２９  切換手段
３０  １日内体温登録手段
【図１】
0004659932.tif 000002
【図２】
0004659932.tif 000003
【図３】
0004659932.tif 000004
【図４】
0004659932.tif 000005
【図５】
0004659932.tif 000006
【図６】
0004659932.tif 000007
【図７】
0004659932.tif 000008
【図８】
0004659932.tif 000009
【図９】
0004659932.tif 000010
【図１０】
0004659932.tif 000011
【図１１】
0004659932.tif 000012
【図１２】
0004659932.tif 000013
【図１３】
0004659932.tif 000014
【図１４】
0004659932.tif 000015
【図１５】
0004659932.tif 000016